(57)【要約】  空間浄化システム（１０）は、空間（６０）における感染性物質の発生及び発生位置を検出する検出部（３２）と、感染性物質の発生が検出されたことに応じて、検出された発生位置に向けて気流を発生させる気流制御部（３４）と、少なくとも感染性物質の発生が検出された後に空間（６０）を浄化する浄化制御部（３５）とを備える。
2020059442.tif 000002
【特許請求の範囲】
【請求項１】
空間における感染性物質の発生及び発生位置を検出する検出部と、
前記感染性物質の発生が検出されたことに応じて、検出された前記発生位置に向けて気流を発生させる気流制御部と、
少なくとも前記感染性物質の発生が検出された後に前記空間を浄化する浄化制御部とを備える
空間浄化システム。
【請求項２】
前記気流制御部は、前記気流を発生させた後、所定期間の経過後に前記気流の発生を停止させる
請求項１に記載の空間浄化システム。
【請求項３】
前記気流制御部は、前記発生位置に向けて前記気流を発生させた後、前記気流の向きを変更する
請求項１に記載の空間浄化システム。
【請求項４】
前記浄化制御部は、前記感染性物質の発生が検出される前から前記感染性物質の発生が検出された後まで継続して前記空間を浄化する
請求項１〜３のいずれか１項に記載の空間浄化システム。
【請求項５】
前記浄化制御部は、前記感染性物質の発生が検出されたことに応じて浄化レベルを高めて前記空間を浄化する
請求項４に記載の空間浄化システム。
【請求項６】
前記浄化制御部は、前記感染性物質の発生が検出された後に前記空間の浄化を開始する
請求項１に記載の空間浄化システム。
【請求項７】
前記浄化制御部は、次亜塩素酸を用いて空気を除菌する機器を制御することにより前記空間を浄化する
請求項１〜６のいずれか１項に記載の空間浄化システム。
【請求項８】
前記浄化制御部は、前記空間の換気を行う機器を制御することにより前記空間を浄化する
請求項１〜６のいずれか１項に記載の空間浄化システム。
【請求項９】
空間における感染性物質の発生及び発生位置を検出し、
前記感染性物質の発生が検出されたことに応じて、検出された前記発生位置に向けて気流を発生させ、
少なくとも前記感染性物質の発生が検出された後に前記空間を浄化する
空間浄化方法。
【発明の詳細な説明】
【技術分野】
【０００１】
本発明は、感染性物質による感染拡大を抑制するための空間浄化システム、及び、空間浄化方法に関する。
【背景技術】
【０００２】
感染性物質による感染拡大を抑制するための技術が提案されている。特許文献１には、感染の疑いがある者を絞り込むことができる技術が開示されている。
【先行技術文献】
【特許文献】
【０００３】
【特許文献１】特開２０１７−１１７４１６号公報
【特許文献２】特開２０１３−５２７８４号公報
【発明の概要】
【発明が解決しようとする課題】
【０００４】
本発明は、空間内に感染性物質による感染リスクの高い領域が形成されてしまうことを抑制することができる空間浄化システム及び空間浄化方法を提供する。
【課題を解決するための手段】
【０００５】
本発明の一態様に係る空間浄化システムは、空間における感染性物質の発生及び発生位置を検出する検出部と、前記感染性物質の発生が検出されたことに応じて、検出された前記発生位置に向けて気流を発生させる気流制御部と、少なくとも前記感染性物質の発生が検出された後に前記空間を浄化する浄化制御部とを備える。【０００６】
本発明の一態様に係る空間浄化方法は、空間における感染性物質の発生及び発生位置を検出し、前記感染性物質の発生が検出されたことに応じて、検出された前記発生位置に向けて気流を発生させ、少なくとも前記感染性物質の発生が検出された後に前記空間を浄化する。
【発明の効果】
【０００７】
本発明によれば、空間内に感染性物質への感染リスクの高い領域が形成されてしまうことを抑制することができる空間浄化システム及び空間浄化方法が実現される。
【図面の簡単な説明】
【０００８】
【図１】図１は、実施の形態に係る空間浄化システムの機能構成を示すブロック図である。
【図２】図２は、実施の形態に係る空間浄化システムの適用対象の空間の一例を示す図である。
【図３】図３は、実施の形態に係る空間浄化システムの動作例１のフローチャートである。
【図４】図４は、高濃度の感染性物質が発生した空間を示す図である。
【図５】図５は、感染性物質の濃度が希釈された空間を示す図である。
【図６】図６は、感染性物質の発生位置に向けて気流が発生したときの感染性物質の濃度の変化を示す図である。
【図７】図７は、実施の形態に係る空間浄化システムの動作例２のフローチャートである。
【図８】図８は、実施の形態に係る空間浄化システムの動作例３のフローチャートである。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付し、重複する説明は省略または簡略化される場合がある。
【００１１】
（実施の形態）
［空間浄化システムの構成］
まず、実施の形態に係る空間浄化システムの構成について説明する。図１は、実施の形態に係る空間浄化システムの機能構成を示すブロック図である。図２は、実施の形態に係る空間浄化システムの適用対象の空間の一例を示す図である。
【００１２】
実施の形態に係る空間浄化システム１０は、空間６０に滞在する人の感染性物質への感染を抑制するための処理（以下、感染抑制処理とも記載される）を行うシステムである。空間６０は、例えば、介護施設、病院、または、病院の待合室などの閉空間であり、仕切りなどの無い部屋である。感染性物質とは、例えば、カビ、細菌、または、ウイルスなどである。図１に示されるように、空間浄化システム１０は、検出機器２０と、信号処理装置３０と、送風機器４０と、浄化用機器５０と、生体データ計測機器７０と、環境計測機器８０とを備える。
【００１３】
検出機器２０は、空間６０における感染性物質の発生位置を検出するための機器である。ここで、検出機器２０には、空間６０内の画像（具体的には、動画像または静止画像）を撮像するカメラ２１、空間６０内の熱画像を撮像する熱画像センサ２２、及び、空間６０内の音声を取得するマイク２３などが含まれる。検出機器２０には、カメラ２１、熱画像センサ２２、及び、マイク２３がそれぞれ複数含まれてもよい。なお、空間浄化システム１０は、少なくとも１つの検出機器２０を備えればよい。
【００１４】
信号処理装置３０は、検出機器２０から得られる画像データ、熱画像データ、及び、音声データの少なくとも１つに基づいて、空間６０における感染性物質の発生及び発生位置を検出し、検出結果に基づいて送風機器４０及び浄化用機器５０を制御する装置である。信号処理装置３０は、例えば、マイクロコンピュータ、または、プロセッサなどによって実現される。信号処理装置３０の具体的な構成については後述する。
【００１５】
送風機器４０は、感染性物質の発生位置に向けて気流を発生させる機器である。送風機器４０は、信号処理装置３０（例えば、気流制御部３４）から出力される制御信号に基づいて動作する。送風機器４０は、例えば、サーキュレータなどの比較的指向性の高い送風機器であるが、空調機器などであってもよい。
【００１６】
なお、空間浄化システム１０は、複数の送風機器４０を備えてもよい。空間浄化システム１０は、少なくとも１つの送風機器４０を備えればよい。図２の例では、送風機器４０は、空間６０を規定する壁沿いに設置されている。
【００１７】
浄化用機器５０は、空間６０の浄化を行う機器である。浄化用機器５０は、信号処理装置３０（例えば、浄化制御部３５）から出力される制御信号に基づいて動作する。ここでの浄化は広義の浄化を意味し、次亜塩素酸などによって感染性物質の除菌または殺菌を行うことだけでなく、換気により感染性物質を空間６０の外に排出することなども浄化に含まれる。
【００１８】
浄化用機器５０には、例えば、除菌機器５１、及び、換気機器５２などが含まれる。除菌機器５１は、例えば、次亜塩素酸水を放出する機器であるが、空気を回収し、回収した空気を次亜塩素酸によって除菌して吐き出す機器、または、その他の除菌機器であってもよい。図２の例では、浄化用機器５０は、空間６０を規定する壁沿いに設置されている。
【００１９】
換気機器５２は、排気、及び、給気の少なくとも一方を行う機器である。排気は、空間６０内の空気を空間６０外に排出することを意味し、給気は、空間６０外の空気を空間６０内に取り込むことを意味する。図２の例では、排気用の換気機器５２、及び、吸気用の換気機器５２が空間６０を規定する天井に取り付けられている。換気機器５２は、具体的には、モータ及び当該モータによって駆動されるファンなどによって実現される。
【００２０】
なお、浄化用機器５０には、除菌機器５１、及び、換気機器５２がそれぞれ複数含まれてもよい。空間浄化システム１０は、少なくとも１つの浄化用機器５０を備えればよい。
【００２１】
また、送風機器４０及び浄化用機器５０は、説明の便宜上区別されているが、明確に区別されるものではない。例えば、空間浄化システム１０は、換気機器５２によって気流を発生させてもよいし、送風機器４０によって浄化を行ってもよい。また、送風機器４０及び浄化用機器５１は、送風機器４０及び浄化用機器５１のそれぞれの機能を有する一体の機器（単一の機器）として実現されてもよい。
【００２２】
また、気流の発生、及び、空間６０の浄化は、複数の機器の組み合わせによって実現されてもよい。例えば、換気による空間６０の浄化は、空間６０を規定する壁に設けられた窓を開閉する窓開閉装置（図示せず）と送風機器４０との組み合わせによって実現されてもよい。
【００２３】
生体データ計測機器７０は、空間６０に滞在する人の生体データを計測する機器である。生体データ計測機器７０は、例えば、空間６０に滞在する人の、体温、脈拍数、心拍数、呼吸数、または、動脈血酸素飽和度（ＳｐＯ２）を生体データとして計測するセンサである。生体データ計測機器７０は、例えば、空間６０に滞在する人に装着されるウェアラブル型のセンサであり、例えば、人の現在位置情報を含む生体データを信号処理装置３０に送信する。生体データ計測機器７０は、スマートフォンまたはタブレット端末などの携帯端末の一機能として実現されてもよい。なお、上述の熱画像センサ２２は、空間６０に滞在する人の体温を計測可能であるため、生体データ計測機器７０に含まれてもよい。
【００２４】
環境計測機器８０は、空間６０における環境データを計測する機器である。環境計測機器８０には、例えば、空間６０における温度を計測する温度センサ、空間６０における湿度を計測する湿度センサ、空間６０における風向き及び風速の少なくとも一方を計測する風量センサ、空間６０における二酸化炭素（ＣＯ２）濃度を計測するＣＯ２濃度センサ、カビまたは菌などの微生物の量（濃度）を計測する微生物センサ、ウイルスの量（濃度）を計測するウイルスセンサなどが含まれる。
【００２５】
［信号処理装置の構成］
次に、信号処理装置３０の具体的構成について説明する。信号処理装置３０は、取得部３１と、検出部３２と、記憶部３３と、気流制御部３４と、浄化制御部３５とを備える。
【００２６】
取得部３１は、検出機器２０からデータを取得する通信回路（言い換えれば、通信インターフェース）である。取得部３１は、具体的には、カメラ２１から画像データを取得し、熱画像センサ２２から熱画像データを取得し、マイク２３から音声データを取得する。また、取得部３１は、生体データ計測機器７０から生体データを取得し、環境計測機器８０から環境データを取得する。取得部３１と検出機器２０、生体データ計測機器７０、及び、環境計測機器８０それぞれとの間の通信は、無線通信であってもよいし、有線通信であってもよい。通信規格についても特に限定されない。
【００２７】
検出部３２は、第一検出部３２ａ、及び、第二検出部３２ｂを含む。第一検出部３２ａは、検出機器２０から取得部３１を介して得られるデータに基づいて、空間６０における感染性物質の発生、及び、発生位置をリアルタイムに検出する。つまり、第一検出部３２ａは、感染性物質の発生タイミング、及び、発生位置をリアルタイムに検出する。なお、ここでのリアルタイムは厳密な意味ではなく、数秒程度の時間差を含んでもよい。
【００２８】
第一検出部３２ａは、例えば、カメラ２１から得られる画像データを用いた画像認識処理（既存のパターンマッチング処理など）により、空間６０に滞在する人の感染性物質の排出動作（具体的には、くしゃみまたは咳）を、感染性物質の発生として検出することができる。また、第一検出部３２ａは、排出動作を行った人の位置を、感染性物質の発生位置として検出する。例えば、くしゃみをする人をカメラで検知する画像認識技術（例えば、特許文献２参照）が知られており、排出動作を行った人の検出にはこのような画像認識技術が用いられる。
【００２９】
なお、第一検出部３２ａは、排出動作を行った人の向き、当該人の姿勢、当該人の口の位置、排出される飛沫の一般的な到達距離などを考慮することで感染性物質の発生位置の検出精度を高めることができる。また、第一検出部３２ａは、環境計測機器８０によって計測される環境データを用いて排出動作が行われたときの空間６０内の空気の流れ（風量及び風速）を考慮することでも感染性物質の発生位置の検出精度を高めることができる。
【００３０】
また、第一検出部３２ａは、マイク２３から得られる音声データを用いた音声認識処理により、空間６０に滞在する人の感染性物質の排出動作の音声の発生を、感染性物質の発生として検出することができる。排出動作の音声とそれ以外の音声とは、例えば、機械学習によって区別することができる。また、マイクアレイなどの複数のマイク２３を用いて音声（この場合、くしゃみまたは咳の音声）の到来方向を推定する技術が知られており、第一検出部３２ａは、このような技術によりくしゃみまたは咳などの排出動作を行った人の位置を、感染性物質の発生位置として検出することができる。
【００３１】
また、第一検出部３２ａは、熱画像センサ２２から得られる熱画像データを用いて、空間内に滞在する人を検出してもよい。例えば、第一検出部３２ａは、熱画像データに基づく熱画像に映る人を輪郭抽出処理（エッジ検出処理）などによって特定し、特定された人に体温が所定温度（例えば、３７．５℃）以上である人が含まれていることを感染性物質の発生として検出する。また、第一検出部３２ａは、このような人の位置を感染性物質の発生位置として検出する。
【００３２】
第二検出部３２ｂは、空間６０に滞在する人のうち感染性物質に感染していることが疑われる疑感染者を検出する。例えば、第二検出部３２ｂは、熱画像データに基づいて体温が所定温度以上であると判定された人を疑感染者として検出する。第二検出部３２ｂは、熱画像データに基づいて疑感染者の位置を検出することもできる。
【００３３】
また、第二検出部３２ｂは、生体データに基づいて体調が悪いと推定される人を疑感染者として検出してもよい。第二検出部３２ｂは、生体データに含まれる現在位置情報により疑感染者の位置を検出することもできる。
【００３４】
また、第二検出部３２ｂは、空間６０に滞在する人の一定期間における排出動作の回数に基づいて、例えば、一定期間における排出動作が所定回数以上の人を疑感染者として検出してもよい。
【００３５】
第二検出部３２ｂの検出結果によれば、体調が良い人の排出動作を感染性物質の発生と判定しないような構成が実現できる。つまり、感染性物質の発生の検出精度を高めることができる。
【００３６】
このように、検出部３２は、第一検出部３２ａの検出結果に基づいて人が排出動作を行った場所を空間６０における感染性物質の発生位置として検出してもよいし、第一検出部３２ａの検出結果及び第二検出部３２ｂの検出結果に基づいて、疑感染者が排出動作を行った場所を空間６０における感染性物質の発生位置として検出してもよい。後者の場合、第一検出部３２ａによって検出される排出動作を行った人の位置と、第二検出部３２ｂによって検出された疑感染者の位置とが照合されることにより、排出動作が疑感染者のものであるか否かが判断できる。
【００３７】
なお、疑感染者であるか否かは、空間６０に滞在する人が当該人の所持する携帯端末（図示せず）に入力される情報に基づいて検出されてもよい。つまり、疑感染者であるか否かは、空間６０に滞在する人が自己申告してもよい。この場合、携帯端末から現在位置情報とともに疑感染者であるか否かを示す情報が信号処理装置３０に送信される。
【００３８】
また、感染性物質の発生の検出、及び、感染性物質の発生位置の検出に互いに異なる方法が用いられてもよい。例えば、感染性物質の発生の検出に音声データが用いられ、感染性物質の発生位置の検出に画像データが用いられてもよい。
【００３９】
記憶部３３は、検出部３２、気流制御部３４、及び、浄化制御部３５が信号処理を行うために実行するプログラム、当該信号処理に必要な情報などが記憶される記憶装置である。記憶部３３は、半導体メモリなどによって実現される。記憶部３３には、例えば、空間６０の形状及び大きさを示す空間情報、及び、空間６０内における送風機器４０及び浄化用機器５０の配置を示す機器配置情報なども記憶される。空間情報及び機器配置情報は、例えば、空間浄化システム１０が備えるユーザインターフェース装置（図示せず）を介して入力される。
【００４０】
気流制御部３４は、感染性物質の発生が検出されたことに応じて、検出された感染性物質の発生位置に向けて気流を発生させる。気流制御部３４は、具体的には、送風機器４０に制御信号を出力することにより送風機器４０を制御し、送風機器４０に感染性物質の発生位置に向けて送風を行わせる。気流制御部３４は、具体的には、送風の向き（言い換えれば、気流の向き）、及び、送風の強さ（言い換えれば、気流の強さ）を制御することができる。制御信号は、無線通信によって送風機器４０に出力されてもよいし、有線通信によって送風機器４０に出力されてもよい。
【００４１】
なお、気流制御部３４は、環境計測機器８０によって計測される環境データを用いて気流を発生させるときの空間６０内の空気の流れ（風量及び風速）を考慮して送風の向き（言い換えれば、気流の向き）、及び、送風の強さ（言い換えれば、気流の強さ）を制御してもよい。これにより、気流制御部３４は、より精度の高い気流を発生させることができる。
【００４２】
浄化制御部３５は、少なくとも感染性物質の発生が検出された後に空間６０を浄化する。浄化制御部３５は、具体的には、浄化用機器５０に制御信号を出力することにより空間６０を浄化する。制御信号は、無線通信によって浄化用機器５０に出力されてもよいし、有線通信によって浄化用機器５０に出力されてもよい。
【００４３】
［動作例１］
次に、空間浄化システム１０の動作例１について説明する。図３は、空間浄化システム１０の動作例１のフローチャートである。
【００４４】
まず、浄化制御部３５は、空間６０を浄化する（Ｓ１１）。浄化制御部３５は、例えば、除菌機器５１に制御信号を出力することにより空間６０を浄化するが、換気機器５２に制御信号を出力することにより空間６０を浄化してもよい。浄化制御部３５は、除菌機器５１、及び、換気機器５２の少なくとも一方を用いて空間６０の浄化を行えばよい。
【００４５】
次に、気流制御部３４は、検出部３２によって感染性物質の発生が検出されたか否かを判定する（Ｓ１２）。検出部３２による感染性物質の発生の検出方法は上述の通りであり、特に限定されない。例えば、比較的高濃度の感染性物質の発生を検出できる方法（具体的には、感染性物質の排出動作を検出する方法）が用いられる。
【００４６】
検出部３２によって感染性物質の発生が検出されていないと判定された場合（Ｓ１２でＮｏ）、浄化制御部３５による空間６０の浄化のみが継続される。一方、検出部３２によって感染性物質の発生が検出されたと判定された場合（Ｓ１２でＹｅｓ）、気流制御部３４は、浄化制御部３５による空間６０の浄化に加えて、検出部３２によって検出される感染性物質の発生位置に向けて気流を発生させる（Ｓ１３）。このように、気流制御部３４は、感染性物質の発生が検出されたことをトリガとして即座に感染性物質の発生位置に向けて気流を発生させる。
【００４７】
例えば、人が感染性物質の排出動作を行うと、高濃度の感染性物質が発生する。図４は、高濃度の感染性物質が発生した空間６０を示す図であり、図５において空間６０中の黒点が感染性物質に相当する粒子を示している。このように高濃度の感染性物質が発生したと推定される位置に向けて気流を発生させることにより、感染性物質の濃度が希釈される。図５は、感染性物質の濃度が希釈された空間６０を示す図であり、図５において空間６０中の黒点が感染性物質に相当する粒子を示している。図６は、感染性物質の発生位置に向けて気流が発生されたときの感染性物質の濃度の変化を示す図である。
【００４８】
図５及び図６に示されるように、気流の発生によれば感染性物質の濃度が希釈される。図６は、送風機器４０の風量が４．５ｍ３／ｍｉｎである場合の、感染性物質の発生位置周辺における感染性物質の濃度のシミュレーション結果を示している。図６に示されるように、当初の感染性物質の濃度が１００００個／ｍ３であるとすると、送風の開始から約１５秒後には、感染性物質の濃度が２０００個／ｍ３以下（つまり、当初の１／５以下）になる。なお、一般に、１時間あたり３６００個のウイルス（感染性物質の一例）の粒子を吸引した人は、５０％の確率で当該ウイルスに感染する。人の平均的な呼吸量を６ｌリットル／ｍｉｎとすると、ウイルス濃度が１００００個／ｍ３の空気中に１時間滞在する人が当該ウイルスに感染する確率は５０％である。
【００４９】
このように、感染性物質の発生位置において比較的短期間のうちに感染性物質の濃度が気流により希釈されれば、空間６０内に感染リスクの高い領域が形成されてしまうことが抑制される。また、空間６０において感染性物質の濃度が全体的に低くなることで、浄化用機器５０により感染性物質を効果的に浄化し、感染リスクを下げることができる。
【００５０】
ところで、感染性物質は人によって排出されるケースが多い。つまり、感染性物質の発生位置には人が滞在している可能性が高い。したがって、感染性物質の発生位置に向けて気流を発生し続けることは、人を不快にさせる可能性がある。
【００５１】
そこで、気流制御部３４は、気流を発生させてから所定期間が経過したか否かを判定し（Ｓ１４）、所定期間が経過したと判定した場合には（Ｓ１４でＹｅｓ）、気流を停止させる、または、気流の向きを変更する（Ｓ１５）。気流制御部３４は、具体的には、送風の停止を指示する制御信号、または、送風の向きの変更を指示する制御信号を送風機器４０に出力する。なお、気流制御部３４は、所定期間が経過していないと判定した場合には（Ｓ１４でＮｏ）、感染性物質の発生位置へ向けた気流の発生（送風）を継続する。所定期間は、例えば、１５秒であるが、特に限定されない。
【００５２】
このように、感染性物質の発生位置に向けた気流の発生が期間を限定して行われることにより、人が気流を不快に感じることが抑制される。
【００５３】
［動作例２］
浄化制御部３５は、感染性物質の発生が検出されたことに応じて浄化レベルを高めて空間６０を浄化してもよい。図７は、このような空間浄化システム１０の動作例２のフローチャートである。なお、以下の動作例２の説明では、動作例１との相違点を中心に説明が行われ、既出事項の説明は適宜省略される。
【００５４】
まず、浄化制御部３５は、第一浄化レベルで空間６０を浄化する（Ｓ２１）。次に、気流制御部３４は、検出部３２によって感染性物質の発生が検出されたか否かを判定する（Ｓ１２）。
【００５５】
検出部３２によって感染性物質の発生が検出されていないと判定された場合（Ｓ１２でＮｏ）、第一浄化レベルの空間６０の浄化が継続される。一方、検出部３２によって感染性物質の発生が検出されたと判定された場合（Ｓ１２でＹｅｓ）、気流制御部３４は、感染性物質の発生位置に向けて気流を発生させる（Ｓ１３）。
【００５６】
また、浄化制御部３５は、検出部３２によって感染性物質の発生が検出されたと判定された場合、第一浄化レベルよりも高い第二浄化レベルで空間６０を浄化する（Ｓ２２）。つまり、浄化制御部３５は、感染性物質の発生が検出されたことに応じて浄化レベルを高めて空間６０を浄化する。浄化レベルが高いとは、感染性物質の濃度をより短時間で減少させることができることを意味する。
【００５７】
例えば、除菌機器５１が次亜塩素酸を放出することで浄化が行われる場合、浄化レベルは、次亜塩素酸の放出量（濃度）によって調整される。第二浄化レベルの浄化は、第一浄化レベルの浄化よりも次亜塩素酸の放出量が多い。また、除菌機器５１が回収した空気を次亜塩素酸によって除菌して吐き出すことにより浄化が行われる場合、及び、換気機器５２による換気により浄化が行われる場合、浄化レベルは、風量によって調整される。第二浄化レベルの浄化は、第一浄化レベルの浄化よりも風量が多い。なお、浄化レベルは、浄化制御部３５から浄化用機器５０に出力される制御信号によって変更される。
【００５８】
このように感染性物質の発生が検出されたことに応じて浄化レベルが高められれば、浄化の必要性が高いときのみに浄化用機器５０の消費電力が大きくなるため、感染性物質を効率的に浄化することができる。
【００５９】
［動作例３］
動作例１では、浄化用機器５０による空間６０の浄化は定常的に行われていた。つまり、浄化制御部３５は、感染性物質の発生が検出される前から感染性物質の発生が検出された後まで継続して空間６０を浄化した。しかしながら、浄化制御部３５は、感染性物質の発生が検出されたことに応じて空間６０の浄化を開始してもよい。図８は、このような空間浄化システム１０の動作例３のフローチャートである。なお、以下の動作例３の説明では、動作例１との相違点を中心に説明が行われ、既出事項の説明は適宜省略される。
【００６０】
動作例３では、当初浄化用機器５０は停止している。この状態で、気流制御部３４は、検出部３２によって感染性物質の発生が検出されたか否かを判定する（Ｓ１２）。
【００６１】
検出部３２によって感染性物質の発生が検出されたと判定された場合（Ｓ１２でＹｅｓ）、気流制御部３４は、感染性物質の発生位置に向けて気流を発生させる（Ｓ１３）。
【００６２】
また、浄化制御部３５は、検出部３２によって感染性物質の発生が検出されたと判定された場合、空間６０の浄化を開始する（Ｓ３１）。
【００６３】
このように感染性物質の発生が検出されたことに応じて浄化が開始されれば、浄化の必要性が高いときのみに浄化用機器５０の消費電力が大きくなるため、感染性物質を効率的に浄化することができる。
【００６４】
［効果等］
以上説明したように、空間浄化システム１０は、空間６０における感染性物質の発生及び発生位置を検出する検出部３２と、感染性物質の発生が検出されたことに応じて、検出された発生位置に向けて気流を発生させる気流制御部３４と、少なくとも感染性物質の発生が検出された後に空間６０を浄化する浄化制御部３５とを備える。
【００６５】
このような空間浄化システム１０は、空間６０内に感染性物質への感染リスクの高い領域が形成されてしまうことを抑制することができる。
【００６６】
また、気流制御部３４は、気流を発生させた後、所定期間の経過後に気流の発生を停止させる。
【００６７】
このような空間浄化システム１０は、感染性物質の発生位置に向けた気流の発生を、期間を限定して行うことにより、人が気流を不快に感じることを抑制することができる。
【００６８】
また、気流制御部３４は、発生位置に向けて気流を発生させた後、気流の向きを変更する。
【００６９】
このような空間浄化システム１０は、感染性物質の発生位置に向けた気流の発生を期間を限定して行うことにより、人が気流を不快に感じることを抑制することができる。
【００７０】
また、浄化制御部３５は、感染性物質の発生が検出される前から感染性物質の発生が検出された後まで継続して空間６０を浄化する。
【００７１】
このような空間浄化システム１０は、感染性物質を定常的に浄化することができる。
【００７２】
また、浄化制御部３５は、感染性物質の発生が検出されたことに応じて浄化レベルを高めて空間６０を浄化する。
【００７３】
このような空間浄化システム１０は、感染性物質を効率的に浄化することができる。
【００７４】
また、浄化制御部３５は、感染性物質の発生が検出された後に空間６０の浄化を開始する。
【００７５】
このような空間浄化システム１０は、感染性物質を効率的に浄化することができる。
【００７６】
また、浄化制御部３５は、除菌機器５１を制御することにより空間６０を浄化する。除菌機器５１は、次亜塩素酸を用いて空気を除菌する機器の一例である。
【００７７】
このような空間浄化システム１０は、次亜塩素酸を用いて空間６０を浄化することができる。
【００７８】
また、浄化制御部３５は、換気機器５２を制御することにより空間６０を浄化する。換気機器５２は、空間６０の換気を行う機器の一例である。
【００７９】
このような空間浄化システム１０は、換気によって空間６０を浄化することができる。
【００８０】
また、空間浄化システム１０などのコンピュータが実行する空間浄化方法は、空間６０における感染性物質の発生及び発生位置を検出し、感染性物質の発生が検出されたことに応じて、検出された発生位置に向けて気流を発生させ、少なくとも感染性物質の発生が検出された後に空間６０を浄化する。
【００８１】
このような空間浄化方法は、空間６０内に感染性物質への感染リスクの高い領域が形成されてしまうことを抑制することができる。
【００８２】
（その他の実施の形態）
以上、実施の形態について説明したが、本発明は、上記実施の形態に限定されるものではない。
【００８３】
例えば、空間浄化システムが浄化する空間は、介護施設、病院、または、病院の待合室などに限定されない。空間浄化システムが浄化する空間は、空港であってもよい。また、空間浄化システムが浄化する空間は、建屋に限らず、鉄道または飛行機など移動体内の空間であってもよい。
【００８４】
また、上記実施の形態において、気流を発生させるための風量が制御されてもよい。例えば、送風機器の設置位置から感染性物質の発生位置までの距離が長いほど、風量を増加する制御が行われてもよい。
【００８５】
また、上記実施の形態において、特定の処理部が実行する処理を別の処理部が実行してもよい。また、複数の処理の順序が変更されてもよいし、複数の処理が並行して実行されてもよい。
【００８６】
また、上記実施の形態において、各構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００８７】
また、各構成要素は、ハードウェアによって実現されてもよい。各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【００８８】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。
【００８９】
例えば、本発明は、空間浄化方法として実現されてもよいし、空間浄化方法をコンピュータに実行させるためのプログラムとして実現されてもよいし、このようなプログラムが記録されたコンピュータ読み取り可能な非一時的な記録媒体として実現されてもよい。
【００９０】
また、上記実施の形態では、空間浄化システムは、複数の装置によって実現されたが、単一の装置として実現されてもよい。空間浄化システムが複数の装置によって実現される場合、上記実施の形態で説明された空間浄化システムが備える構成要素は、複数の装置にどのように振り分けられてもよい。
【００９１】
また、空間浄化システムは、クライアントサーバシステムとして実現されてもよい。例えば、信号処理装置がサーバ装置として実現され、検出機器、送風機器、及び、浄化用機器がクライアント装置として実現されてもよい。
【００９２】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００９３】
１０  空間浄化システム
３２  検出部
３４  気流制御部
３５  浄化制御部
６０  空間
【図１】
2020059442.tif 000003
【図２】
2020059442.tif 000004
【図３】
2020059442.tif 000005
【図４】
2020059442.tif 000006
【図５】
2020059442.tif 000007
【図６】
2020059442.tif 000008
【図７】
2020059442.tif 000009
【図８】
2020059442.tif 000010
【国際調査報告】
2020059442.tif 000011
2020059442.tif 000012
2020059442.tif 000013
2020059442.tif 000014